(57)【要約】【課題】複数のエリアに設置された多数の設備機器を効率よく管理することを可能にする集中管理システムを提供することにある。【解決手段】集中管理システム１００は、設備機器１０ａ，１０ｂ，１０ｃと、制御装置２０ａ，２０ｂ，２０ｃ，１２０ａ，１２０ｂ，１２０ｃと、集中管理装置３０，１３０とを備える。設備機器は、管理領域に散在し、外部機器から送られたスケジュールに基づいて動作する。制御装置は、第２スケジュール記憶領域２４ｂ、１２４ｂに記憶されたスケジュールであって、集中管理装置から送られた第１スケジュールおよび制御装置において入力された第２スケジュールのいずれか一方のスケジュールに基づいて設備機器に制御指令を送る。また、制御装置は、切替部２５ｈ，１２５ｈを有し、切替部によって、制御装置における第２スケジュールの入力を、可能な状態または不可能な状態に切り替える。【選択図】図１
2010165331.tif 000002
【特許請求の範囲】
【請求項１】
管理領域（１）に散在し、外部機器（２０ａ，２０ｂ，２０ｃ，１２０ａ，１２０ｂ，１２０ｃ，３０，１３０）から送られたスケジュールに基づいて動作する設備機器（１０ａ，１０ｂ，１０ｃ）と、
前記管理領域に複数配置され、自己の近傍に設置された前記設備機器を制御する制御装置（２０ａ，２０ｂ，２０ｃ，１２０ａ，１２０ｂ，１２０ｃ）と、
前記設備機器の遠隔に配置され、前記制御装置を介して前記設備機器を複数の設備機器群として集中管理する集中管理装置（３０，１３０）と
を備え、
前記集中管理装置は、
前記スケジュールに含まれる第１スケジュールを記憶する第１スケジュール記憶領域（３４ｄ，１３４ｄ）と、
前記第１スケジュールを前記制御装置に送信する第１スケジュール送信部（３５ｆ，１３５ｆ）と
を有し、
前記制御装置は、
前記設備機器への制御指令の入力に用いる第２制御指令入力画面（２２１）と、
前記スケジュールに含まれる第２スケジュールであって、前記第２制御指令入力画面を用いて入力された前記第２スケジュールを受け付ける入力受付部（２５ｅ，１２５ｅ）と、
前記集中管理装置から取得した第１スケジュールおよび前記入力受付部が受け付けた前記第２スケジュールの少なくともいずれか一方を記憶する第２スケジュール記憶領域（２４ｂ，１２４ｂ）と、
前記第２制御指令入力画面を用いた前記第２スケジュールの入力を、可能な状態および不可能な状態のいずれか一方に切り替える第２切替部（２５ｈ，１２５ｈ）と、
前記第２スケジュール記憶領域に記憶された前記第１スケジュールまたは前記第２スケジュールに基づいて前記設備機器に制御指令を送る制御指令送信部（２５ｆ，１２５ｆ）と、
を有する、
集中管理システム（１００）。
【請求項２】
前記集中管理装置は、
遠隔に配置された前記設備機器への制御指令の入力に用いる第１制御指令入力画面（３２１）と、
前記第１制御指令入力画面を用いた前記第１スケジュールの入力を、可能な状態および不可能な状態のいずれか一方に切り替える第１切替部（３５ｄ，１３５ｄ）と、
を有し、
前記第２切替部は、前記第１切替部によって切り替えられた一の状態に基づいて、前記第２制御指令入力画面への前記第２スケジュールの入力を可能な状態または不可能な状態に切り替える、
請求項１に記載の集中管理システム。
【請求項３】
前記第１切替部は、
前記第１制御指令入力画面を用いた前記第１スケジュールの入力を可能な状態にし、前記第２制御指令入力画面への前記第２スケジュールの入力を不可能な状態にさせる第１信号を生成する第１切替処理と、
前記第１制御指令入力画面を用いた前記第１スケジュールの入力を不可能な状態にし、前記第２制御指令入力画面への前記第２スケジュールの入力を可能な状態にさせる第２信号を生成する第２切替処理と、
を有する
請求項２に記載の集中制御システム。
【請求項４】
前記第１切替部は、
前記第１制御指令入力画面を用いた前記第１スケジュールの入力を可能な状態にし、前記第２制御指令入力画面への前記第２スケジュールの入力を可能な状態にさせる前記第１信号を生成する第３切替処理
をさらに有する、
請求項３に記載の集中制御システム。
【請求項５】
前記制御装置は、
前記第２制御指令入力画面を用いて入力された前記第２スケジュールを前記集中管理装置に送るための第２スケジュール送信部（１２５ｊ）
をさらに有し、
前記集中管理装置は、
前記第２スケジュール送信部から送られた前記第２スケジュールを取得するスケジュール取得部（１３５ｈ）
をさらに有し、
前記第１スケジュール記憶領域では、前記スケジュール取得部によって取得された前記第２スケジュールによって、前記第１スケジュールを上書きする、
請求項３または４に記載の集中管理システム。
【請求項６】
前記スケジュール送信部は、前記入力受付部によって前記第２スケジュールが受け付けられると、所定のタイミングで前記第２スケジュールを前記集中管理装置に送る、
請求項５に記載の集中管理システム。
【請求項７】
前記制御装置は、
前記集中管理装置との通信の可否を判定する通信判定部（１２５ｉ）
をさらに備え、
前記第２切替部は、前記通信異常判定部によって通信異常が判定された場合に、前記第２制御指令入力画面への前記第２スケジュールの入力を可能な状態に設定する、
請求項２から６のいずれかに記載の集中管理システム。
【請求項８】
前記集中管理装置は、
前記制御装置との通信の可否を判定する通信判定部（１３５ｉ）
をさらに有し、
前記第１切替部は、前記通信判定部によって正常な通信が判定された場合、前記第１切替部に設定された前記一の状態に基づいて、前記第１信号または前記第２信号を生成する、
請求項３から７のいずれかに記載の集中管理システム。
【発明の詳細な説明】
【技術分野】
【０００１】
本発明は、複数の設備機器を複数の設備機器群として集中的に管理する集中管理システムに関する。
【背景技術】
【０００２】
従来、一の管理領域に複数に分けられたエリア（例えば、拠点、拠点に設置される建物、建物内の所定の空間等）が存在する場合、例えば、特許文献１（特開２００８−１３１４６１号公報）に示すように、各エリアに設置された設備機器は、各エリアに配置された制御装置を用いて集中的に管理されている。
【発明の概要】
【発明が解決しようとする課題】
【０００３】
しかし、複数のエリアに設置される複数の設備機器に対して共通の制御を行う場合、各エリアに設置される制御装置に対してそれぞれ設定を行う必要が生じるため、各エリアが離れている場合には一人の管理者による設定は困難である。また、各エリアが近い場合であっても、一人の管理者が複数のエリアに対して共通する設定を繰り返し入力する作業は煩雑である。
【０００４】
本発明の課題は、複数のエリアに設置された多数の設備機器を効率よく制御することを可能にする集中管理システムを提供することにある。
【課題を解決するための手段】
【０００５】
第１発明に係る集中管理システムは、設備機器と、制御装置と、集中管理装置とを備える。設備機器は、管理領域に散在し、外部機器から送られたスケジュールに基づいて動作する。制御装置は、管理領域に複数配置され、自己の近傍に設置された設備機器を制御する。集中管理装置は、設備機器の遠隔に配置される。また、集中管理装置は、制御装置を介して設備機器を複数の設備機器群として集中管理する。さらに、集中管理装置は、第１スケジュール記憶領域と、第１スケジュール送信部とを有する。第１スケジュール記憶領域は、スケジュールに含まれる第１スケジュールを記憶する。第１スケジュールは、例えば、集中管理装置で設定されたスケジュールである。第１スケジュール送信部は、第１スケジュールを制御装置に送信する。制御装置は、第２制御指令入力画面と、入力受付部と、第２スケジュール記憶領域と、第２切替部と、制御指令送信部とを有する。第２制御指令入力画面は、設備機器への制御指令の入力に用いる。入力受付部は、スケジュールに含まれる第２スケジュールであって、第２制御指令入力画面を用いて入力された第２スケジュールを受け付ける。第２スケジュール記憶領域は、集中管理装置から取得した第１スケジュールおよび入力受付部が受け付けた第２スケジュールの少なくともいずれか一方を記憶する。第２切替部は、第２制御指令入力画面を用いた第２スケジュールの入力を、可能な状態および不可能な状態に切り替える。制御指令送信部は、第２スケジュール記憶領域に記憶された第１スケジュールまたは第２スケジュールに基づいて設備機器に制御指令を送る。
【０００６】
本発明に係る集中管理システムでは、集中管理装置から制御装置に第１スケジュールが送られる。制御装置は、集中管理装置から取得した第１スケジュールおよび第２制御指令入力画面を用いて入力された第２スケジュールの少なくともいずれか一方を第２スケジュール記憶領域に記憶する。また、制御装置は、第２制御指令入力画面に入力される第２スケジュールの入力を、可能な状態および不可能な状態に切り替える。さらに、制御装置は、第２スケジュール記憶領域に記憶された第１スケジュールまたは第２スケジュールに基づいて、設備機器に制御指令を送る。
【０００７】
これにより、複数のエリアに設置された多数の設備機器を効率よく管理することができる。
【０００８】
第２発明に係る集中管理システムは、第１発明に係る集中管理システムであって、集中管理装置は、第１制御指令入力画面と、第１切替部とを有する。第１制御指令入力画面は、遠隔に配置された設備機器への制御指令の入力に用いる。第１切替部は、第１制御指令入力画面を用いた第１スケジュールの入力を、可能な状態および不可能な状態のいずれか一方に切り替える。また、第２切替部は、第１切替部によって切り替えられた一の状態に基づいて、第２制御指令入力画面への第２スケジュールの入力を可能な状態または不可能な状態に切り替える。
【０００９】
本発明に係る集中管理システムでは、集中管理装置において、第１制御指令入力画面を用いて設備機器への制御指令が入力される。また、集中管理装置において、第１制御指令入力画面を用いた第１スケジュールの入力が、可能な状態および不可能な状態のいずれか一方に切り替えられる。制御装置では、集中管理装置で切り替えられた、一の状態に基づいて、第２制御指令入力画面への第２スケジュールの入力を可能な状態または不可能な状態が切り替えられる。
【００１０】
これにより、制御装置におけるスケジュールの入力の可否を、集中管理装置において設定することができる。
【００１１】
第３発明に係る集中管理システムは、第２発明に係る集中管理システムであって、第１切替部は、第１切替処理と、第２切替処理とを有する。第１切替処理は、第１制御指令入力画面を用いた第１スケジュールの入力を可能な状態にし、第１信号を生成する。第１信号は、第２制御指令入力画面への第２スケジュールの入力を不可能な状態にさせる。第２切替処理は、第１制御指令入力画面を用いた第１スケジュールの入力を不可能な状態にし、第２信号を生成する。第２信号は、第２制御指令入力画面への第２スケジュールの入力を可能な状態にさせる。
【００１２】
本発明に係る集中管理システムでは、集中管理装置において、集中管理装置または制御装置で入力ができるように切り替えられる。
【００１３】
これにより、制御装置の設置状況等に応じた設定を集中管理装置で行うことができる。
【００１４】
第４発明に係る集中管理システムは、第３発明に係る集中管理システムであって、第１切替部は、第３切替処理をさらに有する。第３切替処理は、第１制御指令入力画面を用いた第１スケジュールの入力を可能な状態にし、第１信号を生成する。第１信号は、第２制御指令入力画面への第２スケジュールの入力を可能な状態にさせる。
【００１５】
本発明に係る集中管理システムでは、集中管理装置において、集中管理装置および／または制御装置で入力ができるように切り替えられる。
【００１６】
これにより、制御装置の設置状況等に応じた設定を集中管理装置で行うことができる。
【００１７】
第５発明に係る集中管理システムは、第３発明または第４発明に係る集中管理システムであって、制御装置は、第２スケジュール送信部をさらに有する。第２スケジュール送信部は、第２制御指令入力画面を用いて入力された第２スケジュールを集中管理装置に送る。集中管理装置は、スケジュール取得部をさらに有する。スケジュール取得部は、第２スケジュール送信部から送られた第２スケジュールを取得する。第１スケジュール記憶領域では、スケジュール取得部によって取得された第２スケジュールによって、第１スケジュールが上書きされる。
【００１８】
本発明に係る集中管理システムでは、制御装置で入力された第２スケジュールは、集中管理装置に送られる。集中管理装置に記憶された第１スケジュールは、制御装置から送られた第２スケジュールによって上書きされる。
【００１９】
これにより、制御装置と集中管理装置とで共通のスケジュールを有することができる。
【００２０】
第６発明に係る集中管理システムは、第５発明に係る集中管理システムであって、スケジュール送信部は、入力受付部によって第２スケジュールが受け付けられると、所定のタイミングで第２スケジュールを集中管理装置に送る。
【００２１】
本発明に係る集中管理システムでは、制御装置でスケジュールが変更されると、その内容が集中管理装置に送られる。ここで、所定のタイミングには、任意の時間（例えば、毎日一回朝０時）、および入力受付部によって第２スケジュールが受け付けられるとすぐ、等のタイミングが含まれる。
【００２２】
これにより、制御装置で記憶されるスケジュールと集中管理装置で記憶されるスケジュールとを同期させることができる。
【００２３】
第７発明に係る集中管理システムは、第２発明から第６発明のいずれかに係る集中管理システムであって、制御装置は、通信判定部をさらに備える。通信判定部は、集中管理装置との通信の可否を判定する。第２切替部は、通信異常判定部によって通信異常が判定された場合に、第２制御指令入力画面への第２スケジュールの入力を可能な状態に設定する。
【００２４】
本発明に係る集中管理システムでは、制御装置と集中管理装置との間で通信異常があった場合には、制御装置において第２スケジュールの入力が可能になる。
【００２５】
これにより、通信異常の場合にも適宜空調制御を行うことができる。
【００２６】
第８発明に係る集中管理システムは、第３発明から第７発明のいずれかに係る集中管理システムであって、集中管理装置は、通信判定部をさらに有する。通信判定部は、制御装置との通信の可否を判定する。第１切替部は、通信判定部によって正常な通信が判定された場合、第１切替部に設定された一の状態に基づいて、第１信号または第２信号を生成する。
【００２７】
本発明に係る集中管理システムでは、集中管理装置では制御装置との通信の可否が判定される。制御装置と集中管理装置との通信が正常な場合、第１切替部に設定された一の状態に基づいて、第１信号または第２信号が生成される。
【００２８】
これにより、通信に一度異常が発生した場合でも、その後通信が回復した後には集中管理装置における設定を早急に反映させることができる。
【発明の効果】
【００２９】
第１発明に係る集中管理システムは、複数のエリアに設置された多数の設備機器を効率よく管理することができる。
【００３０】
第２発明に係る集中管理システムは、制御装置におけるスケジュールの入力の可否を、集中管理装置において設定することができる。
【００３１】
第３発明に係る集中管理システムは、制御装置の設置状況等に応じた設定を集中管理装置で行うことができる。
【００３２】
第４発明に係る集中管理システムは、制御装置の設置状況等に応じた設定を集中管理装置で行うことができる。
【００３３】
第５発明に係る集中管理システムは、制御装置と集中管理装置とで共通のスケジュールを有することができる。
【００３４】
第６発明に係る集中管理システムは、制御装置で記憶されるスケジュールと集中管理装置で記憶されるスケジュールとを同期させることができる。
【００３５】
第７発明に係る集中管理システムは、通信異常の場合にも適宜空調制御を行うことができる。
【００３６】
第８発明に係る集中管理システムは、通信に一度異常が発生した場合でも、その後通信が回復した後には集中管理装置における設定を早急に反映させることができる。
【図面の簡単な説明】
【００３７】
【図１】本発明の第１実施形態に係る集中管理装置を含む集中管理システムの構成を示す図である。
【図２】第１および第２実施形態に係る室内ユニットの構成を示す図である。
【図３Ａ】第１実施形態に係る一のローカルコントローラの構成を示す図である。
【図３Ｂ】第１および第２実施形態に係るローカルコントローラの管理画面を示す図である。
【図３Ｃ】第１および第２実施形態に係るローカルコントローラの管理画面を示す図である。
【図３Ｄ】第１実施形態に係る他のローカルコントローラの構成を示す図である。
【図４Ａ】第１実施形態に係る集中管理装置の構成を示す図である。
【図４Ｂ】第１および第２実施形態に係る集中管理装置の管理画面を示す図である。
【図４Ｃ】第１および第２実施形態に係る集中管理装置の管理画面を示す図である。
【図４Ｄ】第１および第２実施形態に係る集中管理装置のサブ画面を示す図である。
【図４Ｅ】第１実施形態に係る集中管理装置のサブ画面を示す図である。
【図５】第１および第２実施形態に係る見取図データベースのデータ構造を示す図である。
【図６】第１および第２実施形態に係る基本情報データベースのデータ構造を示す図である。
【図７】第１および第２実施形態に係るグループ情報データベースのデータ構造を示す図である。
【図８Ａ】第１および第２実施形態に係るスケジュールデータベースの基本スケジュールのデータ構造を示す図である。
【図８Ｂ】第１および第２実施形態に係るスケジュールデータベースの即時スケジュールのデータ構造を示す図である。
【図９Ａ】第１および第２実施形態に係るユーザテーブルデータベースのデータ構造を示す図である。
【図９Ｂ】第１実施形態に係る集中管理装置における処理の流れを示す図である。
【図９Ｃ】第１実施形態に係るローカルコントローラにおける処理の流れを示す図である。
【図１０】本発明の第２実施形態に係る集中管理装置を含む集中管理システムの構成を示す図である。
【図１１Ａ】第２実施形態に係る一のローカルコントローラの構成を示す図である。
【図１１Ｂ】第２実施形態に係る他のローカルコントローラの構成を示す図である。
【図１２】第２実施形態に係る集中管理装置の構成を示す図である。
【図１３】第２実施形態に係る集中管理装置のサブ画面を示す図である。
【図１４】第２実施形態に係る集中管理装置における処理の流れを示す図である。
【図１５】第２実施形態に係るローカルコントローラにおける処理の流れを示す図である。
【図１６】変形例（３）に係る集中管理システムを示す図である。
【図１７】変形例（４）に係る集中管理システムを示す図である。
【発明を実施するための形態】
【００３８】
＜第１実施形態＞
以下、図面を参照して、本発明の第１の実施形態に係る集中管理システム１００について説明する。
【００３９】
＜全体構成＞
図１に示す集中管理システム１００は、複数の拠点を含む一の管理領域１に散在する複数の設備機器１０，１０，１０，・・・を管理するためのシステムである。本実施形態では、管理領域１として全国に複数の拠点を有する会社、設備機器として空調設備に含まれる室内ユニット１０ａ，１０ｂ，１０ｃを挙げて、集中管理システム１００を説明する。
【００４０】
集中管理システム１００では、管理領域１内の全室内ユニット１０ａ，１０ｂ，１０ｃが複数の室内ユニットからなる室内ユニットグループＧ１，Ｇ２，Ｇ３に分けられて管理される。より詳細には、一台の室内ユニットを管理点、複数の管理点を含むエリアを管理エリアとし、これら管理点および管理エリアをいくつか（単数または複数）含むグループとして室内ユニットグループＧ１，Ｇ２，Ｇ３が管理される。なお、管理エリアは、管理点を部屋や用途等に基づいてグループ化した集合を意味する。
【００４１】
本実施形態に係る管理領域１には、拠点ＢＡ（大阪本社）と、拠点ＢＢ（米国支社）と、拠点ＢＣ（ドイツ支社）とが含まれる。拠点ＢＡには、建物５０ａが含まれる。拠点ＢＢには、建物５０ｂが含まれる。拠点ＢＣには、建物５０ｃが含まれる。
【００４２】
各建物５０ａ，５０ｂ，５０ｃには、それぞれ室内ユニット１０ａ，１０ｂ，１０ｃが設置されている。建物５０ａに設置された室内ユニット１０ａ，１０ａ，１０ａ，・・・は、同一の建物５０ａ内に配置されたローカルコントローラ２０ａと専用制御線５ｂを介して接続されている。同様に、建物５０ｂに設置された室内ユニット１０ｂ，１０ｂ，１０ｂ，・・・は、ローカルコントローラ２０ｂと専用制御線５ｂを介して接続されている。建物５０ｃに設置された室内ユニット１０ｃ，１０ｃ，１０ｃ，・・・もまた、ローカルコントローラ２０ｃと専用制御線５ｂを介して接続されている。ローカルコントローラ２０ａ，２０ｂ，２０ｃは、建物５０ａ，５０ｂ，５０ｃに一台ずつ設置され、建物５０ａ，５０ｂ，５０ｃの管理室に配置される。ローカルコントローラ２０ａ，２０ｂ，２０ｃは、専用制御線５ｂを介して接続する室内ユニット１０ａ，１０ｂ，１０ｃをそれぞれ管理する。
【００４３】
さらに、集中管理システム１００は、管理領域１内のいずれかの拠点ＢＡ，ＢＢ，ＢＣ内に一台の集中管理装置３０を備える。図１では、集中管理装置３０は、拠点ＢＡ内に配置されている。集中管理装置３０は、ローカルコントローラ２０ａ，２０ｂ，２０ｃとローカルエリアネットワーク（以下、ＬＡＮ）５ａまたはインターネット５ｃで接続されている。詳細には、集中管理装置３０が配置される拠点ＢＡとローカルコントローラ２０ａが配置される拠点ＢＡとが同じである場合には、集中管理装置３０は、ローカルコントローラ２０ａとＬＡＮ５ａで接続される。また、集中管理装置３０が配置される拠点ＢＡとローカルコントローラ２０ｂ，２０ｃが配置される拠点ＢＢ，ＢＣとが異なる場合には、集中管理装置３０は、ローカルコントローラ２０ｂ，２０ｃとインターネット５ｃで接続される。
【００４４】
図１には、管理領域１内の３つの拠点ＢＡ，ＢＢ，ＢＣと、建物５０ａ，５０ｂ，５０ｃを示すが、拠点の数および建物の数はこれらに限定されるものではない。
【００４５】
＜各部の構成＞
（１）室内ユニットの構成
以下、図２を参照しつつ、室内ユニット１０ａについて説明するが、その他の室内ユニット１０ｂ，１０ｃについても同様であるものとする。
【００４６】
室内ユニット１０ａには、各種センサ１２ａ，１２ｂ，１２ｃと制御部１３とが含まれる。
【００４７】
〔センサ〕
各種センサ１２ａ，１２ｂ，１２ｃには、温度センサ１２ａ、湿度センサ１２ｂおよびＣＯ2濃度センサ１２ｃが含まれる。温度センサ１２ａ、湿度センサ１２ｂおよびＣＯ2濃
度センサ１２ｃは、室内ユニット１０ａの空気の吸い込み口付近に取り付けられており、それぞれ室内ユニット１０ａの周辺の温度、湿度およびＣＯ2濃度を検出する。各種センサ１２ａ，１２ｂ，１２ｃは、制御部１３と接続されている。
【００４８】
〔制御部〕
制御部１３は、専用制御線５ｂを介して、同じ冷媒回路に属する室外ユニット（図示されない）とローカルコントローラ２０ａとに接続されている。制御部１３は、ローカルコントローラ２０ａまたは集中管理装置３０に入力された制御指令（起動または停止、設定温度の変更、運転モードの変更等）に従って動作する。具体的には、制御部１３は、圧縮機の周波数、ファンの回転数および各種弁の開度の調整等を行う。
【００４９】
また、制御部１３は、ローカルコントローラ２０ａからの指令に応じて、室内ユニット１０ａの運転情報をローカルコントローラ２０ａに送信する。室内ユニット１０ａの運転情報とは、室内ユニット１０ａの周辺の温度、湿度およびＣＯ2濃度、起動／停止等の状態、設定温度、冷房／暖房／送風等の運転モードを示す情報を含む。
【００５０】
（２）ローカルコントローラの構成
次に、図３Ａおよび図３Ｂを用いてローカルコントローラ２０ａ，２０ｂ，２０ｃについて説明する。
【００５１】
（２−１）ローカルコントローラ２０ａ
まず、図３Ａを参照しつつ、ローカルコントローラ２０ａについて説明する。
【００５２】
ローカルコントローラ２０ａは、建物５０ａ内の管理室に設置され、当該管理室に所属する管理者によって操作される。ローカルコントローラ２０ａは、同一の建物５０ａ内に設置されている室内ユニット１０ａであって、専用制御線５ｂを介して接続される室内ユニット１０ａを管理する。具体的には、ローカルコントローラ２０ａを用いて、建物５０ａ内に設置されている複数の室内ユニット１０ａ，１０ａ，１０ａ，・・・に対する制御指令や運転情報の送信要求、および室内ユニット１０ａ，１０ａ，１０ａ，・・・の監視等が行われる。なお、ローカルコントローラ２０ａには、１２８台の室内ユニット１０ａ，１０ａ，１０ａ，・・・と接続することができる。
【００５３】
ローカルコントローラ２０ａは、主としてＬＡＮ側通信部２１ａ、空調側通信部２１ｂ、表示部２２、入力部２３、記憶部２４、および制御部２５から構成される。
【００５４】
〔ＬＡＮ側通信部〕
ＬＡＮ側通信部２１ａは、ローカルコントローラ２０ａをＬＡＮ５ａに接続するネットワークインターフェースであり、集中管理装置３０との間で各種信号の授受を行う。
【００５５】
〔空調側通信部〕
空調側通信部２１ｂは、ローカルコントローラ２０ａを専用制御線５ｂに接続するネットワークインターフェースであり、室内ユニット１０ａとの間で各種信号の授受を行う。
【００５６】
〔表示部〕
表示部２２は、主としてディスプレイから構成されている。表示部２２には、図３Ｂおよび図３Ｃに示すように、室内ユニット１０ａ，１０ａ，１０ａ，・・・から取得した室内ユニット１０ａ，１０ａ，１０ａ，・・・の運転情報を表示する管理画面２２１が表示される。管理画面２２１には、さらに、室内ユニット１０ａ，１０ａ，１０ａ，・・・の制御を行うための各種ボタンＢ１〜Ｂ６が設けられている。ボタンＢ１は、室内ユニット１０ａ，１０ａ，１０ａにスケジュールを設定するためのボタンである。ボタンＢ２は、全室内ユニット１０ａ，１０ａ，１０ａを一括で運転させるためのボタンである。ボタンＢ３は、全室内ユニット１０ａ，１０ａ，１０ａを一括で停止させるためのボタンである。ボタンＢ４は、室内ユニット１０ａ，１０ａ，１０ａを個別に運転させるためのボタンである。ボタンＢ５は、室内ユニット１０ａ，１０ａ，１０ａを個別に停止させるためのボタンである。ボタンＢ６は、各室内ユニット１０ａ，１０ａ，１０ａの操作の詳細を設定するためのボタンである。なお、本実施形態では、後述する切替指令受信部２５ｇが集中管理装置３０から切替指令を受け取ることにより、後述する設定切替部２５ｈによって管理画面２２１のボタンＢ１〜Ｂ６の有効および無効が切り替えられる。図３Ｂは、ボタンＢ１〜Ｂ６が有効な管理画面２２１を示し、図３Ｃは、ボタンＢ１〜Ｂ６は無効化された管理画面２２１を示す。
【００５７】
なお、管理画面２２１を介して、所定のＩＤが入力されることで、設定切替部２５ｈによってボタンＢ１〜Ｂ６が無効から有効に切り替えられる。これにより、管理画面２２１が図３Ｃの状態から図３Ｂの状態に切り替わり、管理画面２２１を用いて各種設定を行うことができる。
【００５８】
〔入力部〕
入力部２３は、主としてディスプレイを覆うタッチパネルおよび操作ボタンから構成されている。
【００５９】
〔記憶部〕
記憶部２４には、後述する制御部２５が読み出して実行可能なプログラムが記憶されている。また、記憶部２４は、主として、運転情報データベース２４ａ、スケジュールデータベース２４ｂ、および操作ＩＤデータベース２４ｃを有する。
【００６０】
ａ）運転情報データベース
運転情報データベース２４ａには、制御部２５の取得する室内ユニット１０ａおよび室外ユニットの運転情報が所定の時間分蓄積される。
【００６１】
ｂ）スケジュールデータベース
スケジュールデータベース２４ｂには、後述のスケジュール受信部２５ｅが集中管理装置３０から受信したスケジュールが記憶される。また、スケジュールデータベース２４ｂには、上述の表示部２２に提供される管理画面２２１を介して入力されたスケジュールも記憶される。スケジュールデータベース２４ｂは一週間分のスケジュールを記憶するのに十分な容量のみを有する。したがって、スケジュールデータベース２４ｂに記憶されている情報は、集中管理装置３０から新たなスケジュールが受信されるたび、および、管理画面２２１を介して新たなスケジュールが入力されるたび、当該新たなスケジュールによって上書きされる。
【００６２】
ｃ）操作ＩＤデータベース
操作ＩＤデータベース２４ｃは、上述の管理画面２２１の無効化されたボタンＢ１〜Ｂ６を有効化するためのＩＤを記憶する。
【００６３】
〔制御部〕
制御部２５は、主としてＣＰＵ、ＲＯＭおよびＲＡＭから構成されており、上述の記憶部２４に記憶されているプログラムを読み出して実行する。
【００６４】
また、制御部２５は、主として、運転情報取得部２５ａ、異常判断部２５ｂ、異常通報部２５ｃ、制御指令受信部２５ｄ、スケジュール受信部２５ｅ、制御指令送信部２５ｆ、切替指令受信部２５ｇ、および設定切替部２５ｈとして機能する。
【００６５】
ａ）運転情報取得部
運転情報取得部２５ａは、専用制御線５ｂを介して空調側通信部２１ｂに接続される各室内ユニット１０ａの制御部１３から、所定の時間間隔（本実施形態では、１分毎）で、室内ユニット１０ａの運転情報を取得し、集中管理装置３０に送信する。さらに、運転情報取得部２５ａは、所定の時間間隔（本実施形態では、１分毎）で、室内ユニット１０ａの運転情報だけでなく、室外ユニットの運転情報も取得する。室外ユニットの運転情報とは、圧縮機の周波数、冷媒の温度および圧力を示す情報を含む。
【００６６】
ｂ）異常判断部
異常判断部２５ｂは、運転情報データベース２４ａ内の所定の時間分の室内ユニット１０ａおよび室外ユニットの運転情報に基づき、所定の時間間隔（本実施形態では、１分毎）で、室内ユニット１０ａおよび室外ユニットにおける異常の有無を判断する。
【００６７】
ｃ）異常通報部
異常通報部２５ｃは、異常判断部２５ｂが室内ユニット１０ａおよび室外ユニットにおける異常が有ると判断した場合に、その旨を直ちに表示部２２の管理画面２２１に表示させるとともに、集中管理装置３０に通報する。
【００６８】
ｄ）制御指令受信部
制御指令受信部２５ｄは、ＬＡＮ側通信部２１ａを介して、集中管理装置３０から室内ユニット１０ａに対して送られる制御指令を受信する。また、制御指令受信部２５ｄは、入力部２３を介して入力された制御指令を受信する。
【００６９】
ｅ）スケジュール受信部
スケジュール受信部２５ｅは、ＬＡＮ側通信部２１ａを介して、集中管理装置３０から室内ユニット１０ａに対して送られるスケジュールを受信する。さらに、スケジュール受信部２５ｅは、入力部２３を介して入力されたスケジュールを受信する。スケジュール受信部２５ｅによって受信されたスケジュールは上述のスケジュールデータベース２４ｂに記憶される。
【００７０】
ｆ）制御指令送信部
制御指令送信部２５ｆは、制御指令受信部２５ｄによって受信された制御指令およびスケジュール受信部２５ｅによって受信されたスケジュールに基づく制御指令を、空調側通信部２１ｂを介して室内ユニット１０ａに送信する。
【００７１】
ｇ）切替指令受信部
切替指令受信部２５ｇは、集中管理装置３０の設定切替部３５ｄによって送られた切替指令（第１信号および第２信号に相当）を受け取る。切替指令とは、管理画面２２１のボタンＢ１〜Ｂ６の有効および無効を切り替える指令である（図３Ｂおよび図３Ｃ参照）。
【００７２】
ｈ）設定切替部
設定切替部２５ｈは、上記切替指令受信部２５ｇが集中管理装置３０から送られた切替指令を受信した場合に管理画面２２１のボタンＢ１〜Ｂ６の有効／無効を切り替える。管理画面２２１のボタンＢ１〜Ｂ６が無効に切り替えられることにより、管理画面２２１のボタンＢ１〜Ｂ６の操作が不可能な状態になり、有効に切り替えられることによりボタンＢ１〜Ｂ６の操作が可能になる。
【００７３】
さらに、設定切替部２５ｈは、ローカルコントローラ２０ａの管理者が、上述の管理画面２２１を介して所定のＩＤを入力した場合、上述の操作ＩＤデータベース２４ｃに記憶されたＩＤと、当該管理者が入力した所定のＩＤとを比較する。ここで、操作ＩＤデータベース２４ｃに記憶されたＩＤと、当該管理者が入力した所定のＩＤとが一致した場合には、設定切替部２５ｈは管理画面２２１のボタンＢ１〜Ｂ６を有効にする。これにより、ローカルコントローラ２０ａにおいてスケジュール設定等の各種設定を行うことができる。
【００７４】
（２−２）ローカルコントローラ２０ｂ，２０ｃ
次に、図３Ｄを参照しつつ、ローカルコントローラ２０ｂについて説明する。ローカルコントローラ２０ｃの構成は、ローカルコントローラ２０ｂと同様であるものとする。
【００７５】
ローカルコントローラ２０ｂは、建物５０ｂ内の管理室に設置され、当該管理室に所属する管理者によって操作される。ローカルコントローラ２０ｂは、ローカルコントローラ２０ａが有するＬＡＮ側通信部２１ａに代えて、ＷＡＮ側通信部２１ｃを有する。ローカルコントローラ２０ｃのその他の構成、すなわち、空調側通信部２１ｂ、表示部２２、入力部２３、記憶部２４および制御部２５は、ローカルコントローラ２０ａと同様であるので、説明を省略する。
【００７６】
〔ＷＡＮ側通信部〕
ＷＡＮ側通信部２１ｃは、ローカルコントローラ２０ｂをインターネット５ｃに接続するネットワークインターフェースであり、集中管理装置３０との間で各種信号の授受を行う。
【００７７】
（３）集中管理装置の構成
集中管理装置３０は、一般的なパーソナルコンピュータであり、管理領域１の拠点ＢＡ内に設置される。集中管理装置３０は、ローカルコントローラ２０ａ，２０ｂ，２０ｃと接続される。集中管理装置３０には、１００台のローカルコントローラ２０ａ，２０ｂ，２０ｃを接続することができる。集中管理装置３０は、管理領域１の統括管理者によって操作され、ローカルコントローラ２０ａ，２０ｂ，２０ｃを介して、管理領域１内の全ての空調設備１０，１０，１０を管理する。
【００７８】
さらに、集中管理装置３０は、管理領域１内に設置された全ての室内ユニット１０ａ，１０ｂ，１０ｃを、複数の室内ユニットグループＧ１，Ｇ２，Ｇ３として管理する。当該室内ユニットグループＧ１，Ｇ２，Ｇ３には、上述したように、いくつかの管理点および管理エリアが含まれる。室内ユニットグループＧ１，Ｇ２，Ｇ３は、統括管理者が任意に決定しうるグループである。したがって、室内ユニットグループＧ１，Ｇ２，Ｇ３は、同一建物または同一フロアに設置された室内ユニット等からなる物理的なグループのみならず、複数の建物にまたがる室内ユニットからなる仮想的なグループ、例えば、管理領域１内の会議室、食堂、サーバ室、管理室、廊下、およびトイレ等、設置された場所に基づいた室内ユニットグループを構成することもできる。
【００７９】
集中管理装置３０は、図４Ａに示すように、主として通信部３１、表示部３２、入力部３３、記憶部３４、および制御部３５から構成されている。
【００８０】
〔通信部〕
通信部３１は、集中管理装置３０をＬＡＮ５ａおよびインターネット５ｃに接続するネットワークインターフェースであり、ローカルコントローラ２０ａ，２０ｂ，２０ｃとの間で各種信号の授受を行う。
【００８１】
〔表示部〕
表示部３２は、主としてディスプレイから構成されている。表示部３２には、集中管理システム１００に散在する全室内ユニット１０ａ，１０ｂ，１０ｃを管理するための管理画面３２１およびサブ画面３２２，３２３が表示される（図４Ｂ〜図４Ｅ参照）。
【００８２】
ａ）管理画面
管理画面３２１は、図４Ｂに示すように、主として３つの領域Ａ１〜Ａ３に分かれている。管理画面３２１の左側の領域Ａ１には、管理点および管理エリアをツリー状に配列したツリー構造Ｔが表示される。ツリー構造Ｔは、一つのルートエリア（ルートオブジェクトＯ１）を頂点に持つ。ルートエリアは管理エリアおよび／または管理点を持つことができる。管理エリアは、管理エリアまたは／および管理点を下位に持つことができる。管理点の下位は存在しない。すなわち、管理点の下に管理点または管理エリアが存在することはない。管理点および管理エリアは、オブジェクトＯ２〜Ｏ４を用いて表される。これにより、管理領域１内の全ての室内ユニットグループＧ１，Ｇ２，Ｇ３および室内ユニットグループＧ１，Ｇ２，Ｇ３に含まれる単位空間が階層的に表される。また、管理画面３２１の中央の領域Ａ２には、管理領域１を示す概念図が表示される。なお、領域Ａ２に示される概念図は、ツリー構造Ｔで選択されているオブジェクトに対応する概念図が表示されている。さらに、管理画面３２１の右側の領域Ａ３には、各種設定を行うためのボタンＳ１〜Ｓ３が設けられる。ボタンＳ１は、管理点または管理エリアに設定されているスケジュールの有効または無効を設定するためのラジオボタンである。ボタンＳ２，Ｓ２は、各種スケジュールを設定および実行するためのボタンである。ボタンＳ３，Ｓ３，Ｓ３は、一般的な設定を行うためのボタンである。
【００８３】
なお、後述するサブ画面３２３で「コントローラスケジュール」が選択されることにより、図４Ｃに示すように、スケジュールに関するボタンＳ１，Ｓ２，Ｓ２は、表示されなくなる。
【００８４】
ｂ）サブ画面
図４Ｄおよび図４Ｅに、表示部３２に表示されるサブ画面３２２，３２３を示す。サブ画面３２２，３２３は、後述する設定切替部３５ｄがスケジュール設定を切り替える際に参照する情報を入力するための画面である。サブ画面３２２のコントローラ一覧リストの所望のコントローラが統括管理者によって選択され、設定ボタンＢ３２２が押されることにより、選択されたコントローラに対する設定を行うサブ画面３２３が表示される。サブ画面３２３で「ＰＣスケジュール」または「コントローラスケジュール」のいずれかが選択されることで、スケジュール設定を行える場所（集中管理装置３０およびローカルコントローラ２０ａ，２０ｂ，２０ｃのいずれか）が後述の設定切替部３５ｄによって切り替えられる。これにより、ローカルコントローラ毎にスケジュール設定の許可／不許可を選択できる。
【００８５】
〔入力部〕
入力部３３は、主としてマウスおよびキーボードから構成されている。
【００８６】
〔記憶部〕
記憶部３４は、主としてハードディスクから構成されている。記憶部３４には、見取図データベース３４ａ、基本情報データベース３４ｂ、グループ情報データベース３４ｃ、スケジュールデータベース３４ｄ、運転情報データベース３４ｅ、異常履歴データベース３４ｆ、およびユーザデータベース３４ｇが含まれる。
【００８７】
ａ）見取図データベース
見取図データベース３４ａは、図５に示すように、管理領域１の構成を階層構造で記憶させたデータベースである。見取図データベース３４ａは、管理領域全体の見取図と、その一つ下の階層である室内ユニットグループの見取図と、さらに一つ下の階層である単位空間の見取図とからなる。単位空間は、さらに上位空間と下位空間とに分けられる。本実施形態では、管理領域全体の見取図として管理領域１全体の概念図と、室内ユニットグループの見取図として管理領域１に含まれる拠点ＢＡ，ＢＢ，ＢＣの概念図と、単位空間の上位空間の見取図として拠点ＢＡ，ＢＢ，ＢＣに含まれる建物５０ａ，５０ｂ，５０ｃの概略側面図と、単位空間の下位空間の見取図として建物５０ａ，５０ｂ，５０ｃに含まれる単位空間の概略平面図とが記憶されている。なお、単位空間の概略平面図を構成する各点には、共通する２次元座標がそれぞれ割り当てられている。
【００８８】
ｂ）基本情報データベース
図６に示すように、基本情報データベース３４ｂには、管理領域１に設置された全室内ユニット１０ａ，１０ｂ，１０ｃに関する基本情報が記憶されている。基本情報データベース３４ｂは表形式のデータベースであり、「機器ＩＤ」、「建物」、「単位空間」、および「座標」に関する各フィールドが設けられる。「機器ＩＤ」フィールドには、室内ユニット１０ａ，１０ｂ，１０ｃに付けられた機器ＩＤが記憶されている。「建物」フィールドには、室内ユニット１０ａ，１０ｂ，１０ｃが設置されている建物５０ａ，５０ｂ，５０ｃの名称が記憶される。「単位空間」フィールドには、室内ユニット１０ａ，１０ｂ，１０ｃが設置されている単位空間の名称が記憶される。「座標」フィールドには、室内ユニット１０ａ，１０ｂ，１０ｃの設置場所を示す座標情報が記憶される。座標情報は、単位空間の概略平面図に割り当てられている２次元座標が基準となる。室内ユニット１０ａ，１０ｂ，１０ｃの位置は、「建物」「単位空間」および「座標」フィールドの値の組み合わせにより特定される。
【００８９】
ｃ）グループ情報データベース
図７に示すように、グループ情報データベース３４ｃには、管理領域１に設置された全室内ユニット１０ａ，１０ｂ，１０ｃについて、統括管理者によって設定されたグループ情報が記憶されている。具体的には、各室内ユニット１０ａ，１０ｂ，１０ｃがいずれの室内ユニットグループＧ１，Ｇ２，Ｇ３に属するかが記憶されている。グループ情報データベース３４ｃも表形式のデータベースであり、「グループ」、「機器ＩＤ」、および「ローカルコントローラ」に関する各フィールドが設けられる。「グループ」フィールドには、グループ名が記憶される。「機器ＩＤ」フィールドには、「グループ」フィールドに入力された室内ユニットグループに属する室内ユニットの機器ＩＤが記憶される。「ローカルコントローラ」フィールドには、「機器ＩＤ」フィールドに入力された室内ユニット１０ａ，１０ｂ，１０ｃが接続されているローカルコントローラのＩＤが記憶される。
【００９０】
ｄ）スケジュールデータベース
スケジュールデータベース３４ｄには、室内ユニットグループＧ１，Ｇ２，Ｇ３に属する室内ユニット１０ａ，１０ｂ，１０ｃの制御に関するスケジュールが記憶されている。スケジュールデータベース３４ｄも表形式のデータベースであり、「グループ」、「タイミング」、「ＯＮ／ＯＦＦ」、「モード」、「風量」および「設定温度」に関する各フィールドが設けられる。
【００９１】
スケジュールには、基本スケジュール３４ｄａ（図８Ａ参照）と、即時スケジュール３４ｄｂ（図８Ｂ参照）とが含まれる。基本スケジュール３４ｄａは、室内ユニットグループＧ１，Ｇ２，Ｇ３の所定期間におけるスケジュールであり、具体的には、恒久的に設定されているスケジュールである。一方、即時スケジュール３４ｄｂは、室内ユニットグループＧ１，Ｇ２，Ｇ３が直ちに実行すべきスケジュールである。
【００９２】
また、スケジュールデータベース３４ｄには、空調制御に関するスケジュールの他、運転情報の通知スケジュール等も記憶されている。運転情報の通知スケジュールとは、各室内ユニットグループＧ１，Ｇ２，Ｇ３に属する室内ユニット１０ａ，１０ｂ，１０ｃの運転情報を取得するスケジュールである。
【００９３】
ｅ）運転情報データベース
運転情報データベース３４ｅには、後述する監視部３５ａによって受信された、特定の時刻における室内ユニット１０ａ，１０ｂ，１０ｃの運転情報が記憶されている。
【００９４】
ｆ）異常履歴データベース
異常履歴データベース３４ｆは、室内ユニット１０ａ，１０ｂ，１０ｃまたは室外ユニットの異常履歴が記憶されている。異常履歴データベース３４ｆでは、後述する監視部３５ａによって、室内ユニット１０ａ，１０ｂ，１０ｃまたは室外ユニットの異常の通知が受け取られる度に、当該異常に対応するレコードが作成される。
【００９５】
ｇ）ユーザデータベース
図９Ａに示すように、ユーザデータベース３４ｇも表形式のデータベースであり、管理者に関する情報が記憶される。具体的に、ユーザデータベース３４ｇには、「ユーザＩＤ」、「名称」、および「タイプ」に関する各フィールドが設けられる。なお、「ユーザＩＤ」には一意のＩＤが付けられ、「名称」には、ユーザの名称が付けられ、「タイプ」には、統括管理者または一般管理者が入力される。統括管理者は、管理領域１全体の管理の権限を持つ管理者であり、一般管理者は、特定範囲の管理に限り権限を与えられた管理者である。各管理者が所定のユーザＩＤで集中管理装置にログインすることにより、各管理者に与えられた権限の範囲でオブジェクトが表示される。
【００９６】
〔制御部〕
制御部３５は、主としてＣＰＵ、ＲＯＭおよびＲＡＭから構成されており、記憶部３４に記憶されているプログラムを読み出して実行する。制御部３５は、主として、監視部３５ａ、表示制御部３５ｂ、入力受付部３５ｃ、設定切替部３５ｄ、特定部３５ｅ、およびスケジュール送信部３５ｆを有する。
【００９７】
ａ）監視部
監視部３５ａは、ローカルコントローラ２０ａ，２０ｂ，２０ｃを介して室内ユニット１０ａ，１０ｂ，１０ｃの運転情報を収集する。監視部３５ａが収集した運転情報は、上述の運転情報データベース３４ｅおよび異常履歴データベース３４ｆにそれぞれ記憶されていく。
【００９８】
ｂ）表示制御部
表示制御部３５ｂは、表示部３２に表示される管理画面３２１を作成する。具体的に、表示制御部３５ｂは、管理画面３２１の領域Ａ１におけるツリー構造Ｔを表示させる（図４Ｂおよび図４Ｃの領域Ａ１参照）。詳細には、表示制御部３５ｂは、管理領域１全体に対応するオブジェクトＯ１をルートオブジェクトとして、その一つ下の階層に室内ユニットグループＧ１，Ｇ２，・・・に対応するオブジェクトＯ２を分岐させる。さらに、表示制御部３５ｂは、オブジェクトＯ２の下に、単位空間に対応するオブジェクトＯ３〜Ｏ４を分岐させる。
【００９９】
また、表示制御部３５ｂは、ツリー構造Ｔとともに、当該ツリー構造Ｔで選択されたオブジェクトＯ１〜Ｏ４に対応する概念図を管理画面３２１の領域Ａ２に表示させる。
【０１００】
ｃ）入力受付部
入力受付部３５ｃは、表示部３２に表示される管理画面３２１およびサブ画面３２２，３２３に対する統括管理者からの入力を受け付ける。具体的には、入力受付部３５ｃは、管理画面３２１の右側の領域Ａ３で入力された情報、または、サブ画面３２２，３２３で入力された情報を受け付ける。入力受付部３５ｃによって受け付けられた情報は、記憶部３４に記憶される。
【０１０１】
ｄ）設定切替部
設定切替部３５ｄは、入力受付部３５ｃによって受け付けられた情報に基づいて、スケジュール設定の有効／無効を切り替える指令を生成する。具体的に、設定切替部３５ｄは、集中管理装置３０の管理画面３２１のスケジュール設定に関するボタンＳ１，Ｓ２の表示／非表示を切り替える。また、設定切替部３５ｄは、後述するスケジュール送信部３５ｆによる、所定の時間間隔のローカルコントローラ２０ａ，２０ｂ，２０ｃに向けたスケジュールの送信を無効にさせる。
【０１０２】
さらに、設定切替部３５ｄは、スケジュール設定の有効／無効を切り替える指令（切替指令）をローカルコントローラ２０ａ，２０ｂ，２０ｃに送る。当該指令を受け取ったローカルコントローラ２０ａ，２０ｂ，２０ｃは、管理画面２２１の操作ボタンＢ１〜Ｂ６の表示／非表示を切り替える。
【０１０３】
ｅ）特定部
特定部３５ｅは、集中管理装置３０から室内ユニットグループＧ１，Ｇ２，Ｇ３（すなわち、室内ユニットグループＧ１，Ｇ２，Ｇ３に属する室内ユニット１０ａ，１０ｂ，１０ｃ）に指令が送られる際に、上述のグループ情報データベース３４ｃに記憶された情報に基づいて、指令を送信すべきローカルコントローラ２０ａ，２０ｂ，２０ｃを特定する。
【０１０４】
ｆ）スケジュール送信部
スケジュール送信部３５ｆは、所定の時間間隔（本実施形態では３時間毎）および、スケジュールが変更されたタイミングで、スケジュールデータベース３４ｄに記憶されたスケジュールのうち、所定の情報を各室内ユニットグループＧ１，Ｇ２，Ｇ３，２０ｃ（すなわち、各室内ユニットグループＧ１，Ｇ２，Ｇ３，２０ｃに属する室内ユニット１０ａ，１０ｂ，１０ｃ）に送信する。このとき、スケジュール送信部３５ｆは、特定部３５ｅによって特定されたローカルコントローラ２０ａ，２０ｂ，２０ｃを介して各室内ユニット１０ａ，１０ｂ，１０ｃにスケジュールを送る。なお、所定の情報とは、スケジュールデータベース３４ｄに記憶されたスケジュールのうち、直近の一週間分のスケジュールである。
【０１０５】
なお、上述したように、スケジュール送信部３５ｆは、集中管理装置３０におけるスケジュール設定が有効な場合にのみ、ローカルコントローラ２０ａ，２０ｂ，２０ｃにスケジュールを送る。
【０１０６】
（４）集中管理システムにおける処理の流れ
次に、本実施形態に係る集中管理装置３０およびコントローラ２０ａ，２０ｂ，２０ｃにおける処理の流れについて概略を説明する。
【０１０７】
ａ）集中管理装置におけるフロー
まず、図９Ｂを参照しながら、集中管理装置３０における処理の流れを説明する。
【０１０８】
集中管理装置３０では、ステップＳ１１において、サブ画面３２３における設定状態が判定される。具体的には、サブ画面３２３で、集中管理装置３０でのスケジュール設定を可能にする「ＰＣスケジュール」およびコントローラ２０ａ，２０ｂ，２０ｃでのスケジュール設定を可能にする「コントローラスケジュール」のいずれが選択された状態かが判定される。サブ画面３２３において、「ＰＣスケジュール」が選択されている場合には、ステップＳ１２に進む。サブ画面３２３において、「コントローラスケジュール」が選択されている場合には、ステップＳ１５に進む。
【０１０９】
ステップＳ１２では、設定切替部３５ｄによって、管理画面３２１のスケジュール設定に関するボタンＳ１，Ｓ２が表示される（図４Ｂ参照）。また、設定切替部３５ｄによって、ローカルコントローラ２０ａ，２０ｂ，２０ｃに向けて、スケジュール設定を無効にするための切替指令（第１信号）が送られる。すなわち、ローカルコントローラ２０ａ，２０ｂ，２０ｃに対して、管理画面２２１の操作ボタンＢ１〜Ｂ６を非表示にさせるための信号が送信される。その後、ステップＳ１３で第１スケジュールが受信されると、ステップＳ１４に進み、当該第１スケジュールがローカルコントローラ２０ａ，２０ｂ，２０ｃに送られる。一方、ステップＳ１１からステップＳ１５に進んだ場合、すなわち、サブ画面３２３において、「コントローラスケジュール」が選択されている場合には、設定切替部３５ｄによって管理画面３２１のスケジュール設定に関するボタンＳ１，Ｓ２が非表示にされる（図４Ｃ参照）。また、設定切替部３５ｄによってローカルコントローラ２０ａ，２０ｂ，２０ｃに向けて、スケジュール設定を有効にするための切替指令（第２信号）が送られる。その後、ステップＳ１１に戻る。
【０１１０】
ｂ）ローカルコントローラにおけるフロー
次に、図９Ｃを参照しながら、ローカルコントローラ２０ａ，２０ｂ，２０ｃにおける処理の流れを説明する。
【０１１１】
まず、ステップＳ２１において、切替指令の種類が判定される。ステップＳ２１において、切替指令が管理画面２２１のボタンＢ１〜Ｂ６を表示させる指令であった場合には、ステップＳ２２に進み、非表示にする指令であった場合には、ステップＳ２５に進む。ステップＳ２２では、設定切替部２５ｈが、管理画面２２１のボタンＢ１〜Ｂ６を表示させる（図３Ｂ参照）。その後、ステップＳ２３において、第２スケジュールが受信されると、ステップＳ２４に進んで、当該第２スケジュールに基づいた制御指令が室内ユニット１０ａ，１０ｂ，１０ｃに向けて送られる。一方、ステップＳ２１からステップＳ２５に進んだ場合、設定切替部２５ｈが、管理画面２２１のボタンＢ１〜Ｂ６を非表示にする（図３Ｃ参照）。その後、ステップＳ２６において、第１スケジュールが受信されると、ステップＳ２４に進み、当該第１スケジュールに基づいた制御指令が室内ユニット１０ａ，１０ｂ，１０ｃに向けて送られる。
【０１１２】
〈特徴〉
（１）
上記実施形態で用いた集中管理システム１００は、一の管理領域１に複数の建物５０ａ，５０ｂ，５０ｃや複数の拠点ＢＡ，ＢＢ，ＢＣを有する会社、大学、病院、工場等の物件であって、多数の室内ユニット１０ａ，１０ｂ，１０ｃが設置され、当該多数の室内ユニット１０ａ，１０ｂ，１０ｃを管理領域１内の複数のローカルコントローラ２０ａ，２０ｂ，２０ｃで制御する物件で用いられる。また、上記実施形態では、複数の拠点ＢＡ，ＢＢ，ＢＣに設置された全室内ユニット１０ａ，１０ｂ，１０ｃが、管理領域１内に設置された一台の集中管理装置３０によって集中的に管理されている。各拠点ＢＡ，ＢＢ，ＢＣの各建物５０ａ．５０ｂ．５０ｃには、それぞれローカルコントローラ２０ａ，２０ｂ，２０ｃが設置されているため、ローカルコントローラ２０ａ，２０ｂ，２０ｃに設定を行うことにより、室内ユニット１０ａ，１０ｂ，１０ｃの操作を行うことができる。しかし、各拠点ＢＡ，ＢＢ，ＢＣに設置された室内ユニット１０ａ，１０ｂ，１０ｃに共通した設定を行う場合に、複数の管理者がそれぞれ入力することは効率的ではない。
【０１１３】
上記実施形態に係る集中管理システム１００では、一人の統括管理者によって広範囲に渡る管理領域１に散在する室内ユニット１０ａ，１０ｂ，１０ｃに対する設定を一度に行うことができ、効率的に室内ユニット１０ａ，１０ｂ，１０ｃの制御を行うことができる。
【０１１４】
また、集中管理装置３０は、室内ユニット１０ａ，１０ｂ，１０ｃを室内ユニットグループＧ１，Ｇ２，Ｇ３として管理し、当該室内ユニットグループＧ１，Ｇ２，Ｇ３は、統括管理者によって任意で決定されうるグループである。したがって、複数の拠点に設置されている室内ユニット１０ａ，１０ｂ，１０ｃで室内ユニットグループＧ１，Ｇ２，Ｇ３が構成されることもある。この場合であっても、集中管理装置３０において一つの室内ユニットグループに対する所定のスケジュールを記憶させることにより、所定のローカルコントローラ２０ａ，２０ｂ，２０ｃを介して、当該室内ユニットグループに属する室内ユニット１０ａ，１０ｂ，１０ｃに共通する制御指令を送ることができる。
【０１１５】
（２）
さらに、上記実施形態では、集中管理装置３０において、ローカルコントローラ２０ａ，２０ｂ，２０ｃの初期設定時に、ローカルコントローラ２０ａ，２０ｂ，２０ｃにおけるスケジュール設定の可否を設定することができる。例えば、集中管理装置３０でのみスケジュール設定ができるようにしておくことにより、統括管理者が設定した所定のスケジュールに従って室内ユニット１０ａ，１０ｂ，１０ｃを制御させることができ、消費エネルギー量や、省エネ効果の予測を立てることができる。また、例えば、ローカルコントローラ２０ａ，２０ｂ，２０ｃが管理室ではなく、不特定多数の人が往来する施設等に設置された場合、ローカルコントローラ２０ａ，２０ｂ，２０ｃの勝手な操作を防止することができる。
【０１１６】
なお、集中管理装置３０でのみスケジュール設定ができるように設定されていた場合であっても、緊急時（例えば、通信異常時）には、ローカルコントローラ２０ａ，２０ｂ，２０ｃに所定のＩＤを入力することにより、ローカルコントローラ２０ａ，２０ｂ，２０ｃでスケジュール設定を行うことができる。これにより、緊急時に、統括管理者にスケジュール設定の変更を要求する手間を省くことができる。
【０１１７】
＜第２実施形態＞
次に、本発明の第２の実施形態に係る集中管理システム２００について説明する。なお、第２実施形態に係る集中管理システム２００は、図１０に示すように、集中管理装置１３０およびローカルコントローラ１２０ａ，１２０ｂ，１２０ｃの構成を除いては、第１実施形態に係る集中管理システム１００の構成と同様である。したがって、集中管理システム２００について、全体構成の説明および室内ユニットの構成の説明は省略する。
【０１１８】
（１）ローカルコントローラの構成
次に、図１１Ａおよび図１１Ｂを用いてローカルコントローラ１２０ａ，１２０ｂ，１２０ｃについて説明する。
【０１１９】
（１−１）ローカルコントローラ１２０ａ
まず、図１１Ａを参照しつつ、ローカルコントローラ１２０ａについて説明する。
【０１２０】
ローカルコントローラ１２０ａは、主として、ＬＡＮ側通信部１２１ａ、空調側通信部１２１ｂ、表示部１２２、入力部１２３、記憶部１２４、および制御部１２５から構成される。本実施形態に係るローカルコントローラ１２０ａの構成のうち、制御部１２５を除く構成、すなわち、ＬＡＮ側通信部１２１ａ、空調側通信部１２１ｂ、表示部１２２、入力部１２３、および記憶部１２４は、第１実施形態に係るローカルコントローラ２０ａのＬＡＮ側通信部２１ａ、空調側通信部２１ｂ、表示部２２、入力部２３、および記憶部２４と同様の構成である。したがって、ここでは、制御部１２５の構成について説明し、ＬＡＮ側通信部１２１ａ、空調側通信部１２１ｂ、表示部１２２、入力部１２３、および記憶部１２４、さらに、記憶部１２４に含まれる運転情報データベース１２４ａ、スケジュールデータベース１２４ｂ、および操作ＩＤデータベース１２４ｃについての説明は省略する。
【０１２１】
〔制御部〕
制御部１２５は、主としてＣＰＵ、ＲＯＭおよびＲＡＭから構成されており、記憶部１２４に記憶されているプログラムを読み出して実行する。
【０１２２】
また、制御部１２５は、主として、運転情報取得部１２５ａ、異常判断部１２５ｂ、異常通報部１２５ｃ、制御指令受信部１２５ｄ、スケジュール受信部１２５ｅ、制御指令送信部１２５ｆ、切替指令受信部１２５ｇ、設定切替部１２５ｈ、通信判定部１２５ｉ、およびスケジュール送信部１２５ｊとして機能する。
【０１２３】
ａ）運転情報取得部
運転情報取得部１２５ａは、第１実施形態に係る運転情報取得部２５ａと同様、専用制御線５ｂを介して空調側通信部１２１ｂに接続される各室内ユニット１０ａの制御部１３から、所定の時間間隔（本実施形態では、１分毎）で、室内ユニット１０ａの運転情報を取得し、集中管理装置１３０に送信する。さらに、運転情報取得部１２５ａは、所定の時間間隔（本実施形態では、１分毎）で、室外ユニットの運転情報を取得する。室外ユニットの運転情報とは、圧縮機の周波数、冷媒の温度および圧力を示す情報を含む。
【０１２４】
ｂ）異常判断部
異常判断部１２５ｂは、運転情報データベース１２４ａ内の所定の時間分の室内ユニット１０ａおよび室外ユニットの運転情報に基づき、所定の時間間隔（本実施形態では、１分毎）で、室内ユニット１０ａおよび室外ユニットにおける異常の有無を判断する。
【０１２５】
ｃ）異常通報部
異常通報部１２５ｃは、異常判断部１２５ｂが室内ユニット１０ａおよび室外ユニットにおける異常が有ると判断した場合に、その旨を直ちに表示部１２２の管理画面２２１に表示させるとともに、集中管理装置１３０に通報する。
【０１２６】
ｄ）制御指令受信部
制御指令受信部１２５ｄは、ＬＡＮ側通信部１２１ａを介して、集中管理装置１３０から室内ユニット１０ａに対して送られる制御指令を受信する。また、制御指令受信部１２５ｄは、入力部１２３を介して入力された制御指令を受信する。
【０１２７】
ｅ）スケジュール受信部
スケジュール受信部１２５ｅは、ＬＡＮ側通信部１２１ａを介して、集中管理装置１３０から室内ユニット１０ａに対して送られるスケジュールを受信する。さらに、スケジュール受信部１２５ｅは、入力部１２３を介して入力されたスケジュールを受信する。スケジュール受信部１２５ｅによって受信されたスケジュールはスケジュールデータベース１２４ｂに記憶される。
【０１２８】
ｆ）制御指令送信部
制御指令送信部１２５ｆは、制御指令受信部１２５ｄによって受信された制御指令およびスケジュール受信部１２５ｅによって受信されたスケジュールに基づく制御指令を、空調側通信部１２１ｂを介して室内ユニット１０ａに送信する。
【０１２９】
ｇ）切替指令受信部
切替指令受信部１２５ｇは、後述する集中管理装置１３０の設定切替部１３５ｄによって送られた切替指令（第１信号および第２信号に相当）を受け取る。切替指令とは、管理画面２２１のボタンＢ１〜Ｂ６の有効および無効を切り替える指令である（図３Ｂおよび図３Ｃ参照）。
【０１３０】
ｈ）設定切替部
設定切替部１２５ｈは、上記切替指令受信部１２５ｇが集中管理装置１３０から送られた切替指令を受信した場合に管理画面２２１のボタンＢ１〜Ｂ６の有効／無効を切り替える。具体的には、上述の切替指令受信部１２５ｇによって受け取られた切替指令が管理画面２２１のボタンＢ１〜Ｂ６を有効に切り替える指令（第２信号）であった場合には、設定切替部１２５ｈは、管理画面２２１のボタンＢ１〜Ｂ６を有効に切り替える。これにより、管理画面２２１のボタンＢ１〜Ｂ６の操作が可能な状態（表示の状態）になる。一方、上述の切替指令受信部１２５ｇによって受け取られた切替指令が管理画面２２１のボタンＢ１〜Ｂ６を無効に切り替える指令（第１信号）であった場合には、設定切替部１２５ｈは、管理画面２２１のボタンＢ１〜Ｂ６を無効に切り替える。これにより、管理画面２２１のボタンＢ１〜Ｂ６の操作が不可能な状態（非表示の状態）になる。
【０１３１】
また、設定切替部１２５ｈは、後述する通信判定部１２５ｉによって、ローカルコントローラ１２０ａと集中管理装置１３０との通信が異常と判断された場合には、集中管理装置１３０からの切替指令にかかわらず、管理画面２２１のボタンＢ１〜Ｂ６を操作可能な状態に切り替える。
【０１３２】
さらに、設定切替部１２５ｈは、ローカルコントローラ１２０ａの管理者が、上述の管理画面２２１を介して所定のＩＤを入力した場合、操作ＩＤデータベース１２４ｃに記憶されたＩＤと、当該管理者が入力した所定のＩＤとを比較する。ここで、操作ＩＤデータベース１２４ｃに記憶されたＩＤと、当該管理者が入力した所定のＩＤとが一致した場合には、設定切替部１２５ｈは管理画面２２１のボタンＢ１〜Ｂ６を有効にする。これにより、ローカルコントローラ１２０ａにおいてスケジュール設定等の各種設定を行うことができる。
【０１３３】
ｉ）通信判定部
通信判定部１２５ｉは、ローカルコントローラ１２０ａと集中管理装置１３０との通信状態を判定する。具体的には、通信判定部１２５ｉは、所定の時間間隔で、集中管理装置１３０との通信を試み、ローカルコントローラ１２０ａと集中管理装置１３０との通信の正常／異常を判定する。
【０１３４】
ｊ）スケジュール送信部
スケジュール送信部１２５ｊは、上述の通信判定部１２５ｉによって判定される、ローカルコントローラ１２０ａおよび集中管理装置１３０の通信状態が異常から正常に変化した場合に、すなわち、ローカルコントローラ１２０ａおよび集中管理装置１３０の通信が復旧した場合に、スケジュールデータベース１２４ｂに記憶されたスケジュールを集中管理装置１３０に送信する。ローカルコントローラ１２０ａと集中管理装置１３０の通信に異常がある場合には、上述の設定切替部１２５ｈによって、管理画面２２１のボタンＢ１〜Ｂ６が操作可能な状態に切り替えられており、スケジュールデータベース１２４ｂには、管理画面２２１を介して入力されたスケジュールが記憶されている。スケジュール送信部１２５ｊは、通信の復旧時に、当該管理画面２２１を介して入力されたスケジュールを集中管理装置１３０に送信する。なお、集中管理装置１３０に送信されるスケジュールは、スケジュールデータベース１２４ｂに記憶されたスケジュールのうち、直近の一週間分のスケジュールである。
【０１３５】
（１−２）ローカルコントローラ１２０ｂ，１２０ｃ
次に、図１１Ｂを参照しつつ、ローカルコントローラ１２０ｂについて説明する。ローカルコントローラ１２０ｃの構成は、ローカルコントローラ１２０ｂと同様であるものとする。
【０１３６】
ローカルコントローラ１２０ｂは、建物５０ｂ内の管理室に設置され、当該管理室に所属する管理者によって操作される。ローカルコントローラ１２０ｂは、ローカルコントローラ１２０ａが有するＬＡＮ側通信部１２１ａに代えて、ＷＡＮ側通信部１２１ｃを有する。ローカルコントローラ１２０ｃのその他の構成、すなわち、空調側通信部１２１ｂ、表示部１２２、入力部１２３、記憶部１２４および制御部１２５は、ローカルコントローラ１２０ａの空調側通信部１２１ｂ、表示部１２２、入力部１２３、記憶部１２４および制御部１２５と同様であるので、説明を省略する。
【０１３７】
〔ＷＡＮ側通信部〕
ＷＡＮ側通信部１２１ｃは、ローカルコントローラ１２０ｂをインターネット５ｃに接続するネットワークインターフェースであり、集中管理装置１３０との間で各種信号の授受を行う。
【０１３８】
（２）集中管理装置の構成
集中管理装置１３０は、一般的なパーソナルコンピュータであり、管理領域１の拠点ＢＡ内に設置される。集中管理装置１３０は、ローカルコントローラ１２０ａ，１２０ｂ，１２０ｃと接続される。集中管理装置１３０には、１００台のローカルコントローラ１２０ａ，１２０ｂ，１２０ｃを接続することができる。集中管理装置１３０は、管理領域１の統括管理者によって操作され、ローカルコントローラ１２０ａ，１２０ｂ，１２０ｃを介して、管理領域１内の全ての空調設備１０，１０，１０を管理する。
【０１３９】
本実施形態に係る集中管理装置１３０も、第１実施形態に係る集中管理装置３０と同様に、管理領域１内に設置された全ての室内ユニット１０ａ，１０ｂ，１０ｃを、複数の室内ユニットグループＧ１，Ｇ２，Ｇ３として管理する。当該室内ユニットグループＧ１，Ｇ２，Ｇ３には、上述したように、いくつかの管理点および管理エリアが含まれる。室内ユニットグループＧ１，Ｇ２，Ｇ３は、統括管理者が任意に決定しうるグループである。したがって、室内ユニットグループＧ１，Ｇ２，Ｇ３は、同一建物または同一フロアに設置された室内ユニット等からなる物理的なグループのみならず、複数の建物にまたがる室内ユニットからなる仮想的なグループ、例えば、管理領域１内の会議室、食堂、サーバ室、管理室、廊下、およびトイレ等、設置された場所に基づいた室内ユニットグループを構成することもできる。
【０１４０】
集中管理装置１３０は、図１２に示すように、主として通信部１３１、表示部１３２、入力部１３３、記憶部１３４、および制御部１３５から構成されている。本実施形態に係る集中管理装置１３０は、表示部１３２および制御部１３５を除き、第１実施形態に係る集中管理装置３０と同様の構成を有する。したがって、ここでは、通信部１３１、入力部１３３、および記憶部１３４、さらに、記憶部１３４に含まれる見取図データベース１３４ａ、基本情報データベース１３４ｂ、グループ情報データベース１３４ｃ、スケジュールデータベース１３４ｄ、運転情報データベース１３４ｅ、異常履歴データベース１３４ｆ、およびユーザデータベース１３４ｇについての説明は省略する。
【０１４１】
〔表示部〕
表示部１３２は、主としてディスプレイから構成されている。表示部１３２には、集中管理システム２００に散在する全室内ユニット１０ａ，１０ｂ，１０ｃを管理するための管理画面３２１およびサブ画面３２２，３２４が表示される（図４Ｂ〜図４Ｄおよび図１３参照）。管理画面３２１およびサブ画面３２２は、第１実施形態に係る管理画面３２１およびサブ画面３２２と同様である。したがって、ここでは、サブ画面３２４について説明する。
【０１４２】
ａ）サブ画面
図１３に、表示部１３２に表示されるサブ画面３２４を示す。サブ画面３２４は、後述する設定切替部１３５ｄがスケジュール設定を切り替える際に参照する情報を入力するための画面である。サブ画面３２４で「ＰＣスケジュール」、「コントローラスケジュール」、または「ＰＣ＆コントローラスケジュール」のいずれかが選択されることで、スケジュール設定を行える場所（集中管理装置１３０のみ、ローカルコントローラ１２０ａ，１２０ｂ，１２０ｃのみ、または集中管理装置１３０およびローカルコントローラ１２０ａ，１２０ｂ，１２０ｃのいずれか）が後述の設定切替部１３５ｄによって切り替えられる。これにより、ローカルコントローラ毎にスケジュール設定の許可／不許可を選択できる。
【０１４３】
〔制御部〕
制御部１３５は、主としてＣＰＵ、ＲＯＭおよびＲＡＭから構成されており、記憶部１３４に記憶されているプログラムを読み出して実行する。制御部１３５は、主として、監視部１３５ａ、表示制御部１３５ｂ、入力受付部１３５ｃ、設定切替部１３５ｄ、特定部１３５ｅ、スケジュール送信部１３５ｆ、通信判定部１３５ｇ、およびスケジュール取得部１３５ｈを有する。
【０１４４】
ａ）監視部
監視部１３５ａは、ローカルコントローラ１２０ａ，１２０ｂ，１２０ｃを介して室内ユニット１０ａ，１０ｂ，１０ｃの運転情報を収集する。監視部１３５ａが収集した運転情報は、記憶部１３４の運転情報データベース１３４ｅおよび異常履歴データベース１３４ｆにそれぞれ記憶されていく。
【０１４５】
ｂ）表示制御部
表示制御部１３５ｂは、見取図データベース１３４ａ、基本情報データベース１３４ｂ、およびグループ情報データベース１３４ｃに基づいて、管理画面３２１を作成する（図４Ｂおよび図４Ｃ参照）。具体的に、表示制御部１３５ｂは、管理画面３２１の領域Ａ１におけるツリー構造Ｔを表示させる（図４Ｂおよび図４Ｃの領域Ａ１参照）。詳細には、表示制御部１３５ｂは、管理領域１全体に対応するオブジェクトＯ１をルートオブジェクトとして、その一つ下の階層に室内ユニットグループＧ１，Ｇ２，・・・に対応するオブジェクトＯ２を分岐させる。さらに、表示制御部１３５ｂは、オブジェクトＯ２の下に、単位空間に対応するオブジェクトＯ３〜Ｏ４を分岐させる。
【０１４６】
また、表示制御部１３５ｂは、ツリー構造Ｔとともに、当該ツリー構造Ｔで選択されたオブジェクトＯ１〜Ｏ４に対応する概念図を管理画面３２１の領域Ａ２に表示させる。
【０１４７】
ｃ）入力受付部
入力受付部１３５ｃは、表示部１３２に表示される管理画面３２１およびサブ画面３２２，３２４に対する統括管理者からの入力を受け付ける。具体的には、入力受付部１３５ｃは、管理画面３２１の右側の領域Ａ３で入力された情報、または、サブ画面３２２，３２４で入力された情報を受け付ける。入力受付部１３５ｃによって受け付けられた情報は、記憶部１３４に記憶される。
【０１４８】
ｄ）設定切替部
設定切替部１３５ｄは、入力受付部１３５ｃによって受け付けられた情報に基づいて、スケジュール設定の有効／無効を切り替える指令を生成する。また、設定切替部１３５ｄは、後述するスケジュール送信部１３５ｆによる、所定の時間間隔のローカルコントローラ１２０ａ，１２０ｂ，１２０ｃに向けたスケジュールの送信を無効にさせる。さらに、設定切替部１３５ｄは、ローカルコントローラ１２０ａ，１２０ｂ，１２０ｃにおけるスケジュール設定の有効／無効を切り替える指令（切替指令）をローカルコントローラ１２０ａ，１２０ｂ，１２０ｃに送る。当該指令を受け取ったローカルコントローラ１２０ａ，１２０ｂ，１２０ｃは、管理画面２２１の操作ボタンＢ１〜Ｂ６の表示／非表示を切り替える。
【０１４９】
具体的に、設定切替部１３５ｄは、第１切替処理と、第２切替処理と、第３切替処理とを行う。第１切替処理として、設定切替部１３５ｄは、集中管理装置１３０の管理画面３２１のスケジュール設定に関するボタンＳ１，Ｓ２を表示させる。また、設定切替部１３５ｄは、ローカルコントローラ１２０ａ，１２０ｂ，１２０ｃに対して、管理画面２２１のスケジュール設定に関するボタンＢ１〜Ｂ６を非表示にするための切替指令（第１信号）を送信する。第２切替処理として、設定切替部１３５ｄは、集中管理装置１３０の管理画面３２１のスケジュール設定に関するボタンＳ１，Ｓ２を非表示にする。また、設定切替部１３５ｄは、ローカルコントローラ１２０ａ，１２０ｂ，１２０ｃに対して、管理画面２２１のスケジュール設定に関するボタンＢ１〜Ｂ６を表示するための切替指令（第２信号）を送信する。第３切替処理として、設定切替部１３５ｄは、集中管理装置１３０の管理画面３２１のスケジュール設定に関するボタンＳ１，Ｓ２を表示させる。また、設定切替部１３５ｄは、ローカルコントローラ１２０ａ，１２０ｂ，１２０ｃに対して、管理画面２２１のスケジュール設定に関するボタンＢ１〜Ｂ６を表示させるための切替指令（第２信号）を送信する。
【０１５０】
設定切替部１３５ｄは、上述の入力受付部１３５ｃによってサブ画面３２４における入力が受け付けられた時、および、後述する通信判定部１３５ｇによって集中管理装置１３０およびローカルコントローラ１２０ａ，１２０ｂ．１２０ｃの通信の復旧が判定された時に、ローカルコントローラ１２０ａ，１２０ｂ．１２０ｃに切替指令を送る。
【０１５１】
ｅ）特定部
特定部１３５ｅは、集中管理装置１３０から室内ユニットグループＧ１，Ｇ２，Ｇ３（すなわち、室内ユニットグループＧ１，Ｇ２，Ｇ３に属する室内ユニット１０ａ，１０ｂ，１０ｃ）に指令が送られる際に、グループ情報データベース１３４ｃに記憶された情報に基づいて、指令を送信すべきローカルコントローラ１２０ａ，１２０ｂ，１２０ｃを特定する。
【０１５２】
ｆ）スケジュール送信部
スケジュール送信部１３５ｆは、所定の時間間隔（本実施形態では３時間毎）、スケジュールが変更されたタイミング、さらに、後述する通信判定部１３５ｇによって通信の復旧が判定された場合に、設定切替部１３５ｄによって設定された状態に応じて、スケジュールデータベース１３４ｄに記憶されたスケジュールのうち、所定の情報を各室内ユニットグループＧ１，Ｇ２，Ｇ３，２０ｃ（すなわち、各室内ユニットグループＧ１，Ｇ２，Ｇ３，２０ｃに属する室内ユニット１０ａ，１０ｂ，１０ｃ）に送信する。このとき、スケジュール送信部１３５ｆは、特定部１３５ｅによって特定されたローカルコントローラ１２０ａ，１２０ｂ，１２０ｃを介して各室内ユニット１０ａ，１０ｂ，１０ｃにスケジュールを送る。なお、所定の情報とは、スケジュールデータベース１３４ｄに記憶されたスケジュールのうち、直近の一週間分のスケジュールである。
【０１５３】
ｇ）通信判定部
通信判定部１３５ｇは、集中管理装置１３０とローカルコントローラ１２０ａ，１２０ｂ，１２０ｃとの通信状態を判定する。具体的には、通信判定部１３５ｇは、所定の時間間隔で、ローカルコントローラ１２０ａ，１２０ｂ，１２０ｃとの通信を試み、集中管理装置１３０とローカルコントローラ１２０ａとの通信の正常／異常を判定する。
【０１５４】
ｈ）スケジュール取得部
スケジュール取得部１３５ｈは、ローカルコントローラ１２０ａ，１２０ｂ，１２０ｃから送られたスケジュールを取得し、スケジュールデータベース１３４ｄに記憶する。
【０１５５】
（３）集中管理システムにおける処理の流れ
次に、本実施形態に係る集中管理装置１３０およびコントローラ１２０ａ，１２０ｂ，１２０ｃにおける処理の流れについて概略を説明する。
【０１５６】
ａ）集中管理装置におけるフロー
まず、図１４を参照しながら、集中管理装置１３０における処理の流れを説明する。
【０１５７】
集中管理装置１３０では、ステップＳ１０１において、サブ画面３２４における設定状態が判定される。具体的には、サブ画面３２４で、集中管理装置１３０でのスケジュール設定を可能にする「ＰＣスケジュール」およびコントローラ１２０ａ，１２０ｂ，１２０ｃでのスケジュール設定を可能にする「コントローラスケジュール」のいずれが選択された状態かが判定される。サブ画面３２４において、「ＰＣスケジュール」が選択されている場合には、ステップＳ１０２に進む。サブ画面３２４において、「コントローラスケジュール」が選択されている場合には、ステップＳ１１２に進む。ステップＳ１０２では、サブ画面３２４における設定状態が集中管理装置１３０のみを選択しているかどうかが判断される。具体的には、「ＰＣスケジュール」および「ＰＣ＆コントローラスケジュール」のいずれが選択されているかが判断される。サブ画面３２４で、「ＰＣスケジュール」が選択されている場合には、ステップＳ１０３に進み、「ＰＣ＆コントローラスケジュール」が選択されている場合には、ステップＳ１０４に進む。
【０１５８】
ステップＳ１０３では、設定切替部１３５ｄによって第１切替処理が行われる。具体的には、設定切替部１３５ｄは、管理画面３２１のスケジュール設定に関するボタンＳ１，Ｓ２を表示させる。また、設定切替部１３５ｄは、ローカルコントローラ１２０ａ，１２０ｂ，１２０ｃに向けて、スケジュール設定を無効にするための切替指令（第１信号）を送る。すなわち、設定切替部１３５ｄは、ローカルコントローラ１２０ａ，１２０ｂ，１２０ｃに対して、管理画面２２１の操作ボタンＢ１〜Ｂ６を非表示にさせるための信号を送信する。
【０１５９】
一方、ステップＳ１０２からステップＳ１０４に進んだ場合には、設定切替部１３５ｄによって第３切替処理が行われる。具体的には、設定切替部１３５ｄは、管理画面３２１のスケジュール設定に関するボタンＳ１，Ｓ２を表示させる。また、設定切替部１３５ｄは、ローカルコントローラ１２０ａ，１２０ｂ，１２０ｃに向けて、スケジュール設定を有効にするための切替指令（第２信号）を送る。すなわち、設定切替部１３５ｄは、ローカルコントローラ１２０ａ，１２０ｂ，１２０ｃに対して、管理画面２２１の操作ボタンＢ１〜Ｂ６を表示させるための信号を送信する。その後、ステップＳ１０５に進み、ローカルコントローラ１２０ａ，１２０ｂ，１２０ｃからスケジュールが送信されてきたか否かが判断される。ステップＳ１０５において、ローカルコントローラ１２０ａ，１２０ｂ，１２０ｃから送信されてきたスケジュールを受信した場合には、ステップＳ１０６に進み、当該スケジュールをスケジュールデータベース１３４ｄに記憶する。ステップＳ１０５において、ローカルコントローラ１２０ａ，１２０ｂ，１２０ｃからスケジュールが送信されてこなかった場合には、ステップＳ１０７に進む。
【０１６０】
ステップＳ１０７では、集中管理装置１３０の管理画面３２１を介してスケジュールが入力されたか否かが判断される。管理画面３２１を介してスケジュールが入力された場合にはステップＳ１０８に進み、当該スケジュールをスケジュールデータベース１３４ｄに記憶する。ステップＳ１０７において、スケジュールが受け付けられなかった場合には、ステップＳ１０９に進む。
【０１６１】
ステップＳ１０９では、スケジュールデータベース１３４ｄに記憶されているスケジュールに変更があったか否かが判断される。ステップＳ１０９において、スケジュールに変更があったと判断された場合には、ステップＳ１１０に進み、変更がないと判断された場合には、ステップＳ１０１に戻る。
【０１６２】
ステップＳ１１０では、集中管理装置１３０とローカルコントローラ１２０ａ，１２０ｂ，１２０ｃとの通信が可能か否かが判断される。ステップＳ１１０において、集中管理装置１３０とローカルコントローラ１２０ａ，１２０ｂ，１２０ｃとの通信が可能である場合には、ステップＳ１１１に進んでローカルコントローラ１２０ａ，１２０ｂ，１２０ｃに向けてスケジュールが送信され、ステップＳ１１０において通信が可能でない場合には、通信が回復するまで待機する。
【０１６３】
一方、ステップＳ１０１からステップＳ１１２に進んだ場合、すなわち、サブ画面３２４において、「コントローラスケジュール」が選択されている場合には、設定切替部１３５ｄによって第２切替処理が行われる。具体的には、設定切替部１３５ｄは、管理画面３２１のスケジュール設定に関するボタンＳ１，Ｓ２を非表示にする。また、設定切替部１３５ｄは、ローカルコントローラ１２０ａ，１２０ｂ，１２０ｃに向けて、スケジュール設定を有効にするための切替指令（第２信号）を送る。すなわち、設定切替部１３５ｄは、ローカルコントローラ１２０ａ，１２０ｂ，１２０ｃに対して、管理画面２２１の操作ボタンＢ１〜Ｂ６を表示させるための信号を送信する。その後、ステップＳ１１３に進む。
【０１６４】
ステップＳ１１３では、ローカルコントローラ１２０ａ，１２０ｂ，１２０ｃからスケジュールが送信されてきたか否かが判断される。ステップＳ１１３において、ローカルコントローラ１２０ａ，１２０ｂ，１２０ｃから送信されてきたスケジュールを受信した場合には、ステップＳ１１４に進み、当該スケジュールをスケジュールデータベース１３４ｄに記憶する。ステップＳ１１３において、ローカルコントローラ１２０ａ，１２０ｂ，１２０ｃからスケジュールが送信されてこなかった場合には、ステップＳ１０１に戻る。
【０１６５】
ｂ）コントローラにおけるフロー
次に、図１５を参照しながら、コントローラ１２０ａ，１２０ｂ，１２０ｃにおける処理の流れを説明する。
【０１６６】
ステップＳ２１０において、切替指令が受信されたか否かが判断される。ステップＳ２１０において、切替指令が受信されたと判断された場合には、ステップＳ２１１に進み、受信されなかったと判断された場合には、ステップＳ２１３に進む。
【０１６７】
ステップＳ２１１では、ステップＳ２１０で受信した切替指令と、現在のスケジュール設定の状態とが比較され、切替指令に係る設定の状態と、現在の設定の状態とが一致するか否かが判定される。詳細には、設定切替部１２５ｈによって設定されている現在の管理画面２２１のボタンＢ１〜Ｂ６の状態（表示／非表示）と、ステップＳ２１０で受信した切替指令により受信した指令（表示にするための指令／非表示にするための指令）とが一致するか否かが判断される。ステップＳ２１１において、一致すると判断された場合にはステップＳ２１３に進み、ステップＳ２１１において、一致しないと判断された場合にはステップＳ２１２に進む。ステップＳ２１２では、集中管理装置１３０から送られてきた切替指令に従って、管理画面２２１のボタンＢ１〜Ｂ６の状態を表示または非表示に切り替える。その後、ステップＳ２１３に進む。
【０１６８】
ステップＳ２１３では、集中管理装置１３０からスケジュールを受信したか否かが判断される。ステップＳ２１３において、集中管理装置１３０からスケジュールが送られてきた場合には、ステップＳ２１４に進み、当該スケジュールをスケジュールデータベース１２４ｂに記憶してステップＳ２１６に進む。一方、ステップＳ２１３において、集中管理装置１３０からスケジュールが送られてこなかった場合には、ステップＳ２１５に進み、通信判定部１２５ｉによって、コントローラ１２０ａ，１２０ｂ，１２０ｃと集中管理装置１３０との通信に異常が有るか否かが判断される。ステップＳ２１５において通信異常があると判断された場合には、ステップＳ２１６に進み、設定切替部１２５ｈによって、管理画面２２１のボタンＢ１〜Ｂ６が有効な状態に切り替えられる。すなわち、管理画面２２１のボタンＢ１〜Ｂ６が表示される。その後、ステップＳ２１７に進む。一方、ステップＳ２１５において通信異常がないと判断された場合には、ステップＳ２１７に進む。
【０１６９】
ステップＳ２１７では、管理画面２２１を介してスケジュールが入力されたか否かが判断される。ステップＳ２１７において、第２スケジュールを受信しなかった場合には、ステップＳ２２０に進む。ステップＳ２１７において、第２スケジュールを受信した場合には、ステップＳ２１８に進んで、受信した第２スケジュールをスケジュールデータベース１２４ｂに記憶する。その後ステップＳ２１９に進む。ステップＳ２１９では、ステップＳ２１７で受信した第２スケジュールが集中管理装置１３０に送信され、その後、ステップＳ２２０に進む。
【０１７０】
ステップＳ２２０では、スケジュールデータベース１２４ｂに記憶されたスケジュールに変更があったか否かが判断される。ステップＳ２２０において、スケジュールに変更があったと判断された場合には、ステップＳ２２１に進み、室内ユニット１０ａ，１０ｂ，１０ｃに向けて、スケジュールデータベースに記憶されているスケジュールの内容に応じた制御指令が送られる。ステップＳ２２０において、スケジュールに変更がないと判断された場合には、ステップＳ２１０に戻る。
【０１７１】
〈特徴〉
（１）
上記実施形態で用いた集中管理システム２００では、第１実施形態と同様、集中管理装置１３０において、スケジュール設定の可能な地点を選択することができる。また、集中管理装置１３０では、第１実施形態に係る集中管理装置１３０で選択可能であった地点である、「ＰＣスケジュール」および「コントローラスケジュール」に加えて、「ＰＣ＆コントローラスケジュール」の選択が可能である。すなわち、スケジュール設定を行える地点を、集中管理装置１３０のみとするか、ローカルコントローラ１２０ａ，１２０ｂ，１２０ｃのみとするか、に加え、集中管理装置１３０およびローカルコントローラ１２０ａ，１２０ｂ，１２０ｃの両方で設定可能にすることができる。これにより、集中管理システム２００の利便性が向上する。  
【０１７２】
（２）
上記実施形態では、集中管理装置１３０のスケジュールデータベース１３４ｄに記憶されているスケジュールと、ローカルコントローラ１２０ａ，１２０ｂ，１２０ｃのスケジュールデータベース１２４ｂに記憶されているスケジュールとが適宜同期される。これにより、集中管理装置１３０において、スケジュール設定の可能な拠点が変更された場合にも、適宜、適切なスケジュールで室内ユニット１０ａ，１０ｂ，１０ｃを制御させることができる。
【０１７３】
〈変形例〉
（１）
上記第１実施形態および第２実施形態では、集中管理装置３０，１３０で制御する設備機器として、空調設備１０に含まれる室内ユニット１０ａ，１０ｂ，１０ｃを挙げて説明したが、室内ユニット１０ａ，１０ｂ，１０ｃに加えて、または、室内ユニット１０ａ，１０ｂ，１０ｃに代えて、他の設備機器が制御されてもよい。例えば、集中管理装置３０，１３０で制御する設備機器が、照明やファン等の設備機器であってもよい。また、集中管理装置３０，１３０は、室内ユニット１０ａ，１０ｂ，１０ｃと同様に、室外ユニットについても管理できるようになっていてもよい。
【０１７４】
（２）
上記第１実施形態および第２実施形態では、一台のローカルコントローラ２０ａ，２０ｂ，２０ｃ，１２０ａ，１２０ｂ，１２０ｃが各建物５０ａ，５０ｂ，５０ｃの管理室に設置されたが、一つの建物に設置されるローカルコントローラの数は、一台に限られない。したがって、一つの建物に、複数のローカルコントローラが設置されていてもよい。また、ローカルコントローラ２０ａ，２０ｂ，２０ｃ，１２０ａ，１２０ｂ，１２０ｃが設置される場所は各建物５０ａ，５０ｂ，５０ｃ内の管理室以外の場所であっても構わない。
【０１７５】
（３）
上記第１実施形態および第２実施形態かかる集中管理装置３０，１３０には、例えば、集中管理装置３０およびローカルコントローラ２０ａ，２０ｂ，２０ｃを用いて図１６に示すように、インターネット５ｃを介してサブ管理装置４０，４０を接続させてもよい。サブ管理装置４０，４０は、各拠点ＢＢ，ＢＣに配置される。ここで、集中管理装置３０，１３０に、Ｗｅｂサーバ機能を持たせ、サブ管理装置４０に、Ｗｅｂブラウザ機能をもたせる。これにより、集中管理装置３０，１３０で提供される管理画面３２１の閲覧および操作がサブ管理装置４０からも行えるようになる。
【０１７６】
（４）
上記第１実施形態および第２実施形態にかかる集中管理装置３０，１３０は、例えば、集中管理装置３０およびローカルコントローラ２０ａ，２０ｂ，２０ｃを用いて図１７に示すように、管理領域１の遠隔にあるサービスセンター等に設置されている遠隔管理サーバ９０に、インターネット等を介して接続されていてもよい。また、当該遠隔管理サーバ９０には、管理領域１と同様の構成である他の管理領域２に設置された集中管理装置３０がさらに接続されるようになっていてもよい。これにより、遠隔監理サーバ９０において、一の管理領域１および他の管理領域２のそれぞれにおける管理状況を比較することができる。
【０１７７】
（５）
上記第１実施形態では、サブ画面３２２，３２３を用いてローカルコントローラ２０ａ，２０ｂ，２０ｃ毎にスケジュール設定の有効／無効が設定されたが、スケジュール設定の有効／無効は、管理点単位で行われてもよい。上記第２実施形態で説明したサブ画面３２２，３２４についても同様である。
【０１７８】
（６）
上記第１実施形態では、集中管理装置３０におけるスケジュール設定を無効にした場合、スケジュール設定に関するボタンが非表示にされたが、ボタンの非表示に限らず、ラジオボタンＳ１が無効で固定されてもよい。上記第２実施形態についても同様である。
【０１７９】
（７）
上記第１実施形態では、ローカルコントローラ２０ａ．２０ｂ，２０ｃにおいてスケジュール設定の無効を解除して有効にする際に、所定のＩＤを入力することにより、設定切替部２５ｈによって管理画面２２１のボタンＢ１〜Ｂ６が有効にされたが、当該ＩＤとともに、ユーザレベルに応じて異なるパスワードを設定するようにしてもよい。これにより、ローカルコントローラ２０ａ，２０ｂ，２０ｃにおける操作を段階的に許可することができる。上記第２実施形態についても同様である。
【０１８０】
（８）
上記第１実施形態に係るローカルコントローラ２０ａ，２０ｂ，２０ｃがさらに通信異常検知部を備えていてもよい。これにより、例えば、ローカルコントローラ２０ａ，２０ｂ，２０ｃにおけるスケジュール設定が無効にされた状態で、ローカルコントローラ２０ａ，２０ｂ，２０ｃに対して所定のＩＤが入力された際に、通信異常検知部がローカルコントローラ２０ａ，２０ｂ，２０ｃと集中管理装置３０との間の通信異常の有無を判断する。ここで、通信異常検知部が通信異常を検知しない場合には、設定切替部２５ｈによるスケジュール設定の無効を有効に切り替えられないようにする。これにより、通信異常が発生していない際の、ローカルコントローラ２０ａ，２０ｂ，２０ｃでの設定変更を防止することができる。
【０１８１】
さらに、上記第１実施形態に係るローカルコントローラ２０ａ，２０ｂ，２０ｃは、上記第２実施形態に係るローカルコントローラ１２０ａ，１２０ｂ，１２０ｃと同様、スケジュール送信部１２５ｊを有していてもよい。スケジュール送信部１２５ｊは、コントローラ２０ａ，２０ｂ，２０ｃから入力されたスケジュールを適宜、集中管理装置３０に送信する。例えば、コントローラ２０ａ，２０ｂ，２０ｃにおいてスケジュールが変更されたタイミングで、直近一週間のスケジュールを集中管理装置３０に送信するように設計する。これにより、集中管理装置３０のスケジュールデータベース３４ｄに記憶されたスケジュールとローカルコントローラ２０ａ，２０ｂ，２０ｃのスケジュールデータベース２４ｂに記憶されたスケジュールとを適宜同期させることができる。
【０１８２】
さらに、通信異常検知部によって通信異常が検知された場合に、第２実施形態に係るローカルコントローラ１２０ａ，１２０ｂ，１２０ｃと同様、集中管理装置３０からの切替指令にかかわらず、設定切替部２５ｈが、ローカルコントローラ２０ａ，２０ｂ，２０ｃの管理画面２２１のボタンＢ１〜Ｂ６を操作可能な状態に切り替えるように設計してもよい。これにより、集中管理装置３０とローカルコントローラ２０ａ，２０ｂ，２０ｃとの通信に異常がある場合に、ローカルコントローラ２０ａ，２０ｂ，２０ｃにおいて、スケジュールを変更することができる。
【０１８３】
（９）上記第１および第２実施形態では、スケジュール送信部３５ｆ，１３５ｆは、所定の３時間間隔および、スケジュールが変更されたタイミングで、所定の情報を各室内ユニットグループＧ１，Ｇ２，Ｇ３，２０ｃに送信したが、２４時間間隔、すなわち、日付が変更したタイミングで、スケジュールが送られるように設計されていてもよい。
【０１８４】
（１０）
その他、上記実施形態について図面に基づいて説明した具体的な構成は上記実施形態に限られるものではなく、発明の要旨を逸脱しない範囲で変更可能である。
【産業上の利用可能性】
【０１８５】
本発明は、複数のエリアに設置された多数の設備機器を効率よく管理することを可能にする集中管理システムとして有用である。
【符号の説明】
【０１８６】
１  管理領域
１０  空調設備
１０ａ，１０ｂ，１０ｃ  室内ユニット（設備機器）
２０ａ，２０ｂ，２０ｃ  ローカルコントローラ（機器情報取得装置）
３０  集中管理装置
５０ａ，５０ｂ，５０ｃ  建物
１００  集中管理システム
【先行技術文献】
【特許文献】
【０１８７】
【特許文献１】特開２００８−１３１４６１号公報
【図１】
2010165331.tif 000003
【図２】
2010165331.tif 000004
【図３Ａ】
2010165331.tif 000005
【図３Ｂ】
2010165331.tif 000006
【図３Ｃ】
2010165331.tif 000007
【図３Ｄ】
2010165331.tif 000008
【図４Ａ】
2010165331.tif 000009
【図４Ｂ】
2010165331.tif 000010
【図４Ｃ】
2010165331.tif 000011
【図４Ｄ】
2010165331.tif 000012
【図４Ｅ】
2010165331.tif 000013
【図５】
2010165331.tif 000014
【図６】
2010165331.tif 000015
【図７】
2010165331.tif 000016
【図８Ａ】
2010165331.tif 000017
【図８Ｂ】
2010165331.tif 000018
【図９Ａ】
2010165331.tif 000019
【図９Ｂ】
2010165331.tif 000020
【図９Ｃ】
2010165331.tif 000021
【図１０】
2010165331.tif 000022
【図１１Ａ】
2010165331.tif 000023
【図１１Ｂ】
2010165331.tif 000024
【図１２】
2010165331.tif 000025
【図１３】
2010165331.tif 000026
【図１４】
2010165331.tif 000027
【図１５】
2010165331.tif 000028
【図１６】
2010165331.tif 000029
【図１７】
2010165331.tif 000030